(57)【要約】【課題】特定入賞手段において、入賞し得る入賞球が常に規定通りになるようにすることのできるパチンコ遊技機を提供すること。【解決手段】特定入賞手段１０を、球受入部１１と、この球受入部１１の受入口１１ａへの遊技球４０の出入を制限する制限部１２と、この制限部１２を開閉駆動する駆動部１３とにより構成して、特定入賞手段１０が特定入賞条件状態にされたときには、制限部１２を球受入部１１内へ倒して、当該球受入部１１内及びその奥の送出口１１ｂへの遊技球４０の入りを許容するとともに、前記特定入賞条件状態が解除されたときには、制限部１２を球受入部１１の受入口１１ａ側へ起こすことにより、条件に合わない遊技球４０を外へ出すようにしたこと。【選択図】図３
2008036186.tif 000002
【特許請求の範囲】
【請求項１】
発射手段によって発射された遊技球が、略鉛直方向に配設された遊技盤上の遊技領域を案内されて、入賞口へ入賞したことに基づいて特定入賞条件が成立したとき、この遊技領域内に形成してある特定入賞手段を特定入賞条件状態にすることによって、前記特定入賞手段への入賞に基づいた所定の遊技価値を付与するようにしたパチンコ遊技機において、
前記特定入賞手段を、球受入部と、この球受入部の受入口への前記遊技球の出入を制限する制限部と、この制限部を開閉駆動する駆動部とにより構成して、
前記特定入賞手段が特定入賞条件状態にされたときには、前記制限部を前記球受入部内へ倒して、当該球受入部内及びその奥の送出口への前記遊技球の入りを許容するとともに、前記特定入賞条件状態が解除されたときには、前記制限部を前記球受入部の受入口側へ起こすことにより、条件に合わない遊技球を外へ出しながら、前記球受入部の受入口からの前記遊技球の入りを制限するようにしたことを特徴とするパチンコ遊技機。
【発明の詳細な説明】
【技術分野】
【０００１】
本発明は、パチンコ遊技機に関し、特に、特定入賞手段によって所定の遊技価値を付与するようにしたパチンコ遊技機に関するものである。
【背景技術】
【０００２】
パチンコ遊技機としては、出願人も種々なタイプのものを提案してきているが、近年では所謂「デジタル式パチンコ機」が主流を占めてきている。このデジタル式パチンコ機は、一般的には、遊技盤に設けられた可変表示装置によって複数種類の識別情報を可変表示する表示遊技を実行し、該可変表示装置の表示結果が予め定められた特定表示態様となった場合に、特定入賞口（球受入部）に遊技球を入賞させることによって遊技者に所定の遊技価値を付与可能にするものである。
【０００３】
このようなデジタル式パチンコ機は、例えば特許文献１にも提案されており、遊技者の興趣を高めるために、種々な工夫が凝らされてきている。
【特許文献１】特開２００３−２０５１０４号公報、段落００５２〜００６１
【発明の開示】
【発明が解決しようとする課題】
【０００４】
この種のパチンコ機では、図１１及び図１２、そして特許文献１の段落０００７にも記載されているように、「…予め定められた特定…態様となった場合に、（本願発明で述べている球受入部に該当する）特定入賞口（２４ａ、２４ｂ）に遊技球を入賞させることによって遊技者に所定の遊技価値を付与可能」にすることが行われており、「特定入賞口（２４ａ、２４ｂ）は、…遊技球を受け入れない第１状態と受け入れる第２状態とに駆動制御され…」るものである。
【０００５】
また、特許文献１の段落００５８にも記載されているように、「前記球受入部２４ａは一般にはアタッカーと称されるものであり、ソレノイド等の駆動源の作動により、その入賞口が球の入賞し難い通常の閉状態と入賞容易な開状態とに変化し得るように構成されている…」ものである。
【０００６】
さらに、特許文献１の段落００６０に記載されているように、「…球受入部２４ａは、前記可変表示で特定表示態様が確定した場合に、遊技価値の付与として特別遊技状態を演出するように開閉制御される。ここで特別遊技状態とは、開状態に所定時間維持された後、閉状態に短時間戻るという開閉動作が、所定ラウンド回数（例えば１５回）を限度に繰り返し実行される状態」である。
【０００７】
そして、段落００６１に記載されているように、「所定の球数（例えば１０個）が球受入部２４ａに入賞するか、または、所定の時間（約３０秒）が経過すると球受入部２４ａの扉は閉鎖状態となる。前記所定の回数だけ一連の開閉動作が終了すると、前記特別遊技状態は終了となる」のである。
【０００８】
以上のように、パチンコ機における「特定入賞手段」は、「アタッカー」とも呼ばれているのであるが、特定入賞条件状態となった場合に開放されて遊技球を受入れ、例えば、所定の球数（例えば１０個）が入賞するか、または、所定の時間（約３０秒）が経過すると閉じ、これを例えば１０〜１５回繰り返すものである。
【０００９】
このときの入賞球の係数は、特定入賞手段が設けてある遊技盤の裏側にある無接点スイッチによって行われるのであるが、この無接点スイッチは、図４にも示すように、特定入賞手段の特定入賞口から相当奥に位置しているものである。その理由は、この無接点スイッチによって検知した遊技球を遊技盤の背面側へ処理しなければならないし、遊技盤そのものの厚さも１．５ｃｍ程度あるからである。
【００１０】
そして、この無接点スイッチによって検知されるべき遊技球は、特定入賞手段の入賞口から無接点スイッチまで転動しながら向かうのであるが、その転動に掛かる時間は最低１秒必要である。そうなると、無接点スイッチによって１０個目（規定数の最後の遊技球）が検知されたときに、特定入賞口（球受入部）内に１１個目、場合によっては１２個目の遊技球が入り込んでしまっていることがある。
【００１１】
そうなると、想定以上の賞球が払い出されてしまうことになり、遊技者には有利かもしれないが、開発者が意図しない仕様のパチンコ遊技機となってしまうため、好ましくない。
【００１２】
そこで、本発明者等は、アタッカーとも呼ばれる特定入賞手段において、入賞し得る入賞球が、常に規定通りとなるようにするにはどうしたらよいか、について種々検討を重ねてきた結果、本発明を完成したのである。
【００１３】
すなわち、本発明の目的とするところは、特定入賞手段において、入賞し得る入賞球が常に規定通りになるようにすることのできるパチンコ遊技機を提供することにある。
【課題を解決するための手段】
【００１４】
以下に、上記課題等を解決するのに適した各種手段について、項を分けて説明する。この場合、各構成部材については、後述する最良形態の説明中で使用する符号を付すとともに、必要に応じて各手段における効果や作用を併せて説明することとする。
【００１５】
（手段１）
以上の課題を解決するために、まず、請求項１に係る発明の採った手段は、
「発射手段によって発射された遊技球４０が、略鉛直方向に配設された遊技盤２０上の遊技領域２１を案内されて、入賞口へ入賞したことに基づいて特定入賞条件が成立したとき、この遊技領域２１内に形成してある特定入賞手段１０を特定入賞条件状態にすることによって、特定入賞手段１０への入賞に基づいた所定の遊技価値を付与するようにしたパチンコ遊技機において、
特定入賞手段１０を、球受入部１１と、この球受入部１１の受入口１１ａへの遊技球４０の出入を制限する制限部１２と、この制限部１２を開閉駆動する駆動部１３とにより構成して、
特定入賞手段１０が特定入賞条件状態にされたときには、制限部１２を球受入部１１内へ倒して、当該球受入部１１内及びその奥の送出口１１ｂへの遊技球４０の入りを許容するとともに、前記特定入賞条件状態が解除されたときには、制限部１２を球受入部１１の受入口１１ａ側へ起こすことにより、条件に合わない遊技球４０を外へ出しながら、球受入部１１の受入口１１ａからの遊技球４０の入りを制限するようにしたことを特徴とするパチンコ遊技機」
である。
【００１６】
すなわち、この手段１に係るパチンコ遊技機では、特定入賞手段１０を、球受入部１１と、この球受入部１１の受入口１１ａへの遊技球４０の出入を制限する制限部１２と、この制限部１２を開閉駆動する駆動部１３とにより構成したものである。
【００１７】
ここで、上記あるいは以下で使用している各用語について、次のように定義する。
［特定入賞条件］；特定の入賞口に入賞した遊技球４０を検出したタイミングに応じて、中央演算処理装置で抽選を行い、その抽選に当選したことによって成立される条件、あるいは、特定の入賞口へ遊技球４０が入賞したことに応じて、例えば特定入賞手段１０を開放し、この特定入賞手段１０内へ入賞した遊技球４０が特定の領域を通過したことによって生成される条件
［遊技価値を付与する］；払出装置により遊技媒体（遊技球４０やメダル）を払い出したり、制御装置から特典を示すデータなどを出力すること
［条件に合わない遊技球］；特定入賞手段を、特定入賞条件状態（遊技球が入賞し易い状態）から通常状態（遊技球が入賞不能または困難な状態）へ移行させる契機となる条件が成立（規定数の遊技球を検出したとき、または、規定時間が経過したとき）して、例えば制御部１２が動作を開始してから完了するまでの間に、例えば球受入部１１内に入ってしまった遊技球
【００１８】
このパチンコ遊技機において、例えば特定の入賞口に遊技球４０が入賞したり、あるいは、図示しない中央演算装置によって特定入賞条件が生成されて変動表示装置３０でその表示がなされると、本発明における特定入賞手段１０が、上述した特定入賞条件状態にされる。このときには、図３の（ａ）中の実線、図６の（ｂ）、あるいは図８の（ｂ）にて示したように、駆動部１３の作用によって、制限部１２が球受入部１１内へ倒されるのであり、これにより、当該球受入部１１内及びその奥の送出口１１ｂへの、遊技球４０の入りが許容されることになる。
【００１９】
なお、この制限部１２が球受入部１１内に倒されたときに、遊技球４０の球受入部１１内への入りがなされ易くするために、遊技盤２０上の遊技領域２１を構成している釘の位置を変えたり（所謂ゲージ変更）、あるいは、図３の（ａ）及び（ｂ）、そして図７の（ｂ）に示すように、遊技球４０を案内する落下位置規制部１８を設けるように実施するとよい。
【００２０】
これに対して、例えば当該特定入賞手段１０内に「規定数の１０個」の遊技球４０が入賞して、これが検知されて計数されたときは、上記特定入賞条件状態が解除される。このときには、図３の（ａ）中の仮想線にて示すように、駆動部１３の作動によって、内に倒れ込んでいた制限部１２を球受入部１１の受入口１１ａ側へ起こすことになり、球受入部１１の受入口１１ａからの遊技球４０の入りを制限するのである。この際に、この制限部１２は、条件に合わない遊技球４０を球受入部１１の外へ出す、という重要な働きをする。
【００２１】
すなわち、もし、上記特定入賞条件状態が解除されたときに、１１個目さらに１２個目の遊技球４０、つまり条件に合わない遊技球４０が存在していたとすると、この遊技球４０は、制限部１２の元位置への復帰時、つまり当該制限部１２が球受入部１１の受入口１１ａ側へ起こされた時に外へ出すのである。何故なら、１０個目の遊技球４０が検出センサー１７等によって検出されたときには、１１個目の遊技球４０はまだ起き上がる前の制限部１２上に存在しており、この制限部１２が起き上がる際には、当該制限部１２の起き上がり作用によって、その上に存在していた１１個目の遊技球４０は球受入部１１から遊技領域２１内に放り出されるからである。
【００２２】
以上の結果、当該特定入賞手段１０について、その特定入賞条件状態が解除されたときに、条件に合わない（つまり１１個目以上である）遊技球４０が存在していたとしても、制限部１２がこの条件に合わない遊技球４０を遊技領域２１内に押出ながら受入口１１ａを閉じることにより、条件に合わない遊技球４０が外へ出されることになって、当該パチンコ遊技機は、開発者が意図した通りの完全仕様のものとなるのである。
【００２３】
この制限部１２については、特定入賞手段１０の特定入賞条件状態が解除されたときに、上記のように、条件に合わない遊技球４０を遊技領域２１に再びはじき出さなければならないから、揺動によって球受入部１１の受入口１１ａの開閉を行うようにするのが最も適しており、例えば「スライド方式」で受入口１１ａの開閉を行うものとすることは、条件に合わない遊技球４０のはじき出しが確実に行えないから、好ましくない。
【００２４】
また、この制限部１２の揺動を行うに当たっては、その揺動中心となる軸１２ａを、図３の（ａ）、図６の（ｂ）あるいは図８の（ｂ）に示すように、球受入部１１の下側に配置するのが、これを駆動するための駆動部１３の配置や、球受入部１１内に入賞して送出口１１ｂを通った遊技球４０の検知を行う検出センサ１７の位置関係からすると最も好ましいが、制限部１２の軸１２ａを球受入部１１の上部に配置して、球受入部１１の天井側に上げられていた制限部１２を、下方に下ろして受入口１１ａの閉止を行うように実施しても、条件に合わない遊技球４０の遊技領域２１へのはじき出しは行える。
【００２５】
勿論、この制限部１２に対しては、後述する各手段におけるように、制限部１２に、これと同一平面を形成する受け部１４を一体化したり、制限部１２に案内部１５を立設したり、種々な追加を行って実施してもよい。さらには、制限部１２に遊技球４０を積極的に案内する案内溝１６を形成して実施してもよいものである。
【００２６】
なお、この特定入賞手段１０においては、球受入部１１内の床面は、その上に制限部１２がくることはあっても遊技球４０が転動することは殆ど無い。換言すれば、本発明の特定入賞手段１０では、遊技球４０による汚れは、起立したとき遊技盤２０と略同一平面となる制限部１２の表面上に付着することになるから、その清掃は非常に簡単に行えることになる。これに対して、従来のアタッカーであると、手前側に開くものが殆どであるから、遊技球４０による汚れは球受入部１１内の床面上に付着することになって、その清掃は困難となる。
【００２７】
また、当該特定入賞手段１０の制限部１２は、球受入部１１の受入口１１ａを閉じているときには、遊技盤２０と略同一平面を形成するから、遊技領域２１内における遊技球４０の流下の邪魔者となることはなく、パチンコ遊技をトラブルなく行え、従ってホール内店員の労力を低減することもできるのである。
【００２８】
（手段２）
さて、本発明は、上記手段１の特定入賞手段１０に、さらに、
「制限部１２に遊技球４０の受け部１４を一体的に形成して、制限部１２が球受入部１１内に倒れたとき、遊技盤２０上の遊技領域２１を案内されてきた遊技球４０をこの受け部１４によって受け取るようにしたこと」
として実施することもできる。
【００２９】
この手段２に係る特定入賞手段１０は、図４〜図６に示してあるが、この手段２に係る特定入賞手段１０の、手段１に係るそれと異なる点は、上述した制限部１２に、これと略同一平面を形成する受け部１４を一体化したことである。
【００３０】
この受け部１４は、制限部１２が球受入部１１内に倒れ込んだときには、図６の（ａ）及び（ｂ）に示すように、球受入部１１の前方部分になる遊技領域２１内に突出するものである。つまり、この受け部１４は、図６の（ｂ）に示すように、当該受け部１４上に落ちてきた遊技球４０を受け止めて、これをさらに倒れ込んでいる制限部１２上に案内することになるものである。
【００３１】
もし、上記特定入賞条件状態が解除されたときに、制限部１２や当該受け部１４上に、１１個目さらに１２個目の遊技球４０、つまり条件に合わない遊技球４０が存在していたとすると、この遊技球４０は、上記手段１の場合と同様に、制限部１２の元位置への復帰時に外へ出されるのである。何故なら、制限部１２が起き上がる際には、当該制限部１２の起き上がり作用、及びこれに伴う受け部１４の垂下作用によって、制限部１２あるいは受け部１４の上に存在していた１１個目の遊技球４０が、球受入部１１から遊技領域２１内に放り出されるのである。
【００３２】
以上の結果、当該特定入賞手段１０について、その特定入賞条件状態が解除されたときに、条件に合わない（つまり１１個目である）遊技球４０が存在していたとしても、制限部１２がこの遊技球４０を遊技領域２１内に押出ながら閉じること、及び受け部１４の垂下による遊技球４０の落とし込みにより、条件に合わない遊技球４０が外へ出されることになって、当該パチンコ遊技機は、開発者が意図した通りの完全仕様のものとなるのである。
【００３３】
なお、この受け部１４上に、遊技球４０の球受入部１１内への転動を積極的に行う案内溝１６を形成して実施してもよいものであり、この案内溝１６は、図８の（ａ）にも示すように、制限部１２側にも形成して実施してもよい。
【００３４】
（手段３）
また、本発明は、上記手段１または手段２の特定入賞手段１０に、さらに、
「制限部１２に案内部１５を一体的に形成して、制限部１２が球受入部１１内に倒れたとき、球受入部１１内に入り込んだ遊技球４０の、検出センサ１７までの通路を長くするようにすること」
を適用して実施してもよい。
【００３５】
この案内部１５は、例えば図４中の仮想線、図７及び図８に示したように、制限部１２に対して略直交する状態で当該制限部１２に一体化されるものであり、制限部１２が球受入部１１の受入口１１ａを閉じているときは、図７に示すように、球受入部１１の前方にて遊技領域２１内に突出することになるものである。また、この案内部１５は、制限部１２が球受入部１１を開放したときには、図８に示すように、球受入部１１の受入口１１ａの僅かに内側で起立することになるものである。
【００３６】
この案内部１５は、制限部１２が球受入部１１内に倒れたときに、受入口１１ａを塞ぐように起立して、例えば図８の（ａ）にて示すように、検出センサ１７に向かう遊技球４０の通路を積極的に長く形成するものであり、これにより、一度にたくさん入ってきた遊技球４０を整列させながら検出センサ１７に向けて一個一個送り込めるようにするものである。そのために、この案内部１５は、図８の（ａ）及び（ｂ）に示すように、制限部１２に対して略直交状態で一体化するとともに、球受入部１１の奥行き方向に僅かに傾斜するものとすると、遊技球４０の整列や案内をより一層円滑に行えるものとなる。
【００３７】
また、この案内部１５は、もし、上記特定入賞条件状態が解除されたときに、制限部１２や当該案内部１５上に、１１個目さらに１２個目の遊技球４０、つまり条件に合わない遊技球４０が存在していたとすると、この遊技球４０は、上記手段１または手段２の場合と同様に、制限部１２の元位置への復帰時に球受入部１１の外へ出されるのである。何故なら、制限部１２が起き上がる際には、当該案内部１５は球受入部１１の前方まで回動することになるから、制限部１２上あるいは案内部１５の前方に存在していた１１個目の遊技球４０が、制限部１２及び案内部１５によって球受入部１１から遊技領域２１内に放り出されるのである。
【００３８】
さらに、この案内部１５は、制限部１２が閉止状態にあるときには、図７に示すように、遊技領域２１側に突出することになるから、この案内部１５の上面で遊技領域２１内を流下してきた遊技球４０を一時的に止めることになる。つまり、遊技球４０のそれまでの流下による速度を緩和することができるのであり、これにより、当該案内部１５の下方にある各部の遊技球４０による損傷を防止することができるのである。
【００３９】
なお、この案内部１５は、これ単独であって上述の手段２で説明した受け部１４がない場合には、制限部１２の中程に立設するか、制限部１２の軸１２ａより内側（図８の（ｂ）では図示右方）に形成するとよい。そうすれば、図８の（ｂ）に示した制限部１２の案内部１５より外側に遊技球４０の受け取り部分を形成して、この部分の上に乗った遊技球４０を、当該案内部１５によって整列させ案内することができるからである。
【００４０】
（手段４）
そして、本発明は、上記手段１〜手段３のいずれかに係る特定入賞手段１０に、さらに、
「少なくとも、制限部１２の表面に、遊技球４０を案内し得る深さと、遊技球４０の遊技領域２１側に向かう案内面１６ａを有した案内溝１６を形成すること」
を実施するようにしてもよい。
【００４１】
この案内溝１６は、図３、図６の（ａ）、あるいは図８の（ａ）に示すようなものであり、少なくとも、上述した制限部１２の表面（当該制限部１２が内に倒れ込んだ時に上面となる面）に形成したものである。なお、この案内溝１６は、受け部１４がある場合にはその表面に、また案内部１５がある場合にはその表面に形成してもよいものである。
【００４２】
また、この案内溝１６は、当該特定入賞手段１０を構成している本体１０ａの裏面側に設けてある検出センサ１７に、遊技球４０を整列しながら案内するものであり、この案内が確実になるように、遊技球４０を案内し得る深さと、遊技球４０の遊技領域２１側に向かう案内面１６ａを有したものである。この案内面１６ａは、案内溝１６の内壁であり、例えば図６の（ａ）に示すように、制限部１２の右側端部の背面に位置する検出センサ１７に向かうような曲面としてある。勿論、この案内溝１６については、例えば図６の（ａ）に示す右側部分が左側部分より低くなるようにしてあり、これにより、遊技球４０の検出センサ１７に向かう転動が円滑になるようにしてある。
【発明の効果】
【００４３】
以上、説明した通り、本発明においては、
「発射手段によって発射された遊技球４０が、略鉛直方向に配設された遊技盤２０上の遊技領域２１を案内されて、入賞口へ入賞したことに基づいて特定入賞条件が成立したとき、この遊技領域２１内に形成してある特定入賞手段１０を特定入賞条件状態にすることによって、特定入賞手段１０への入賞に基づいた所定の遊技価値を付与するようにしたパチンコ遊技機において、
特定入賞手段１０を、球受入部１１と、この球受入部１１の受入口１１ａへの遊技球４０の出入を制限する制限部１２と、この制限部１２を開閉駆動する駆動部１３とにより構成して、
特定入賞手段１０が特定入賞条件状態にされたときには、制限部１２を球受入部１１内へ倒して、当該球受入部１１内及びその奥の送出口１１ｂへの遊技球４０の入りを許容するとともに、前記特定入賞条件状態が解除されたときには、制限部１２を球受入部１１の受入口１１ａ側へ起こすことにより、条件に合わない遊技球４０を外へ出しながら、球受入部１１の受入口１１ａからの遊技球４０の入りを制限するようにしたこと」
にその構成の主たる特徴があり、これにより、特定入賞手段１０において、入賞し得る入賞球が常に規定通り、つまり設計者の意図した通りのパチンコ遊技機を提供することができるのである。
【００４４】
換言すれば、本発明に係るパチンコ遊技機を構成している特定入賞手段１０は、その特定入賞条件状態が解除されたときに、条件に合わない遊技球４０が存在していたとしても、制限部１２がこの遊技球４０を遊技領域２１内に押出ながら閉じることにより、条件に合わない遊技球４０が外へ出されることになって、当該パチンコ遊技機を、開発者が意図した通りの完全仕様のものとすることができるのである。
【発明を実施するための最良の形態】
【００４５】
次に、上記のように構成した本発明を、図面に示した最良の形態であるパチンコ遊技機について説明すると、このパチンコ遊技機は、図１に示すような遊技盤２０を備えたものであり、この遊技盤２０上には、発射手段によって発射された遊技球４０が案内される遊技領域２１が形成してある。本最良形態の遊技盤２０では、図１の図示中央に変動表示装置３０が設けてあり、この変動表示装置３０は、遊技領域２１中の始動チャッカー２２内に入賞した遊技球４０によって変動表示がなされ、図示しない中央演算処理装置によって「大当たり状態」が生成されると、この変動表示装置３０にて「大当たり表示」がなされるとともに、図１の図示下方に設けてある特定入賞手段１０において、その制限部１２の開閉操作がなされる。
【００４６】
すなわち、このパチンコ遊技機は、遊技球４０が略鉛直方向に配設された遊技盤２０上の遊技領域２１を案内されるとき、この遊技領域２１内に形成してある特定入賞手段１０によって、所定の遊技価値を付与するようにしたものである。
【００４７】
なお、図１に示すように、このパチンコ遊技機を構成している特定入賞手段１０の図示下方にはアウト口２３が形成してあり、遊技領域２１を流下してきて始動チャッカー２２等にに入賞しなかった遊技球４０を機外に導き出す。また、この遊技盤２０の前方には、図３の（ａ）にも示すように、遊技領域２１を確保しながらガラス板が配置されることは言うまでもない。
【００４８】
特定入賞手段１０は、図１、図２及び図３の（ｂ）に示したように、上記遊技盤２０に形成した穴内に一部を収納しながら、その本体１０ａにて遊技盤２０に取り付けられるものであり、概略図４に示したような構成部品からなっている。
【００４９】
すなわち、この特定入賞手段１０は、図３〜図１０に示したように、少なくとも、球受入部１１と、この球受入部１１の受入口１１ａへの遊技球４０の出入を制限する制限部１２と、この制限部１２を開閉駆動する駆動部１３とにより構成したものである。
【００５０】
球受入部１１は、例えば図４に示したように、上記本体１０ａの略中央にて大きく開口するように形成した受入口１１ａを有しており、この受入口１１ａの反対側、つまり奥には、検出センサー１７の手前に位置する送出口１１ｂが形成してある。また、この球受入部１１においては、本体１０ａの背面側に設けた駆動部１３によって駆動される制限部１２により、当該球受入部１１の受入口１１ａへの遊技球４０の出入が制限されるようになっている。
【００５１】
また、この球受入部１１の下面は、図３の（ａ）等に示したように、倒れ込んできた制限部１２を支える床面としてある。
【００５２】
制限部１２は、その両端に一体化してある各軸１２ａによって、本体１０ａ側に回動自在に取り付けられるものであり、この軸１２ａの近傍には、駆動部１３側のギア１３ａに噛合するギア１２ｂが一体的に形成してある。なお、このギア１２ｂは、当該制限部１２がせいぜい９０°程度しか回動しないものであるため、図５〜図８の（ｂ）、図９の（ａ）、及び図１０の（ｃ）に示すような半円状のものとして形成してある。
【００５３】
この制限部１２は、図３の（ａ）に示すように、これ単独で形成したものとして実施されることもあるが、図４〜図６に示すように、この制限部１２に、これと同一平面を形成しながら一体化される受け部１４を備えたり、あるいは、図４中の仮想線、図７、及び図８に示したように、この制限部１２に、これと直交しながら一体化される案内部１５を備えたものとして実施されることもある。
【００５４】
また、この制限部１２の表面には、図４、図６の（ａ）、図８の（ａ）、図９、あるいは、図１０の（ｂ）に示したように、当該制限部１２が球受入部１１内に倒れ込んだときに、遊技球４０を積極的に案内する案内溝１６が形成してある。この案内溝１６は、図１０の（ｂ）に示したように、制限部１２の幅より少し小さめの幅を有するとともに、図９の（ａ）あるいは（ｂ）に示したように、内壁となる案内面１６ａが形成してあり、この案内溝１６によって球受入部１１内に入ってきた遊技球４０を、球受入部１１の送出口１１ｂから、本体１０ａの背面側に設けてある検出センサ１７に向けて円滑に送り込むようにするものである。
【００５５】
この特定入賞手段１０の制限部１２が倒れて、球受入部１１内に入賞してきた遊技球４０は、図３の（ａ）あるいは図４に示したように、当該特定入賞手段１０の本体１０ａの背面に設けてある検出センサ１７に向けて転動していき、この検出センサ１７によって規定数（例えば、上述しているように１０個）になるまで計数される。
【００５６】
（その他の実施例）
上述した制限部１２によって球受入部１１の受入口１１ａを閉止するに当たっては、ある程度まで傾斜したときに閉止動作を一時的に停止させたり、あるいは、当該閉止作動そのものを開放作動よりゆっくり行うようにすることが考えられる。このようにすることによって、外にはじき出されようとする遊技球４０が、当該制限部１２との内壁等との間に挟まれてしまうことを防止することができる。つまり、当該パチンコ機において、「玉詰まり」というトラブル発生を防止することができるのである。
【００５７】
また、当該特定入賞手段１０を構成する制限部１２に、図７に示したような案内部１５を一体化した場合、図３または図７の（ｂ）に示したように、遊技領域２１内に突出した案内部１５の上方に、落下位置規制部１８を設けるように実施してもよい。この落下位置規制部１８は、勢いが付いた状態で遊技領域２１内を流下してきた遊技球４０の勢いを緩める機能を発揮するのであり、これにより、案内部１５の損傷を防止するのである。
【００５８】
以上のような落下位置規制部１８については、図３の（ａ）に示したように、その上端面に案内面１８ａを形成しておけば、勢いよく落下してきた遊技球４０が当該落下位置規制部１８の上端に直接当たることが防止でき、この落下位置規制部１８の破損が防止できるものである。
【００５９】
さらには、図３の（ａ）中の仮想線にて示すように、球受入部１１の前方に案内部材１９を設けておけば、遊技球４０の球受入部１１内への案内を確実にすることができる。
【図面の簡単な説明】
【００６０】
【図１】本発明に係るパチンコ遊技機を構成する遊技盤の正面図である。
【図２】同パチンコ遊技機を構成している特定入賞手段の拡大背面図である。
【図３】手段１に係るパチンコ遊技機を構成している特定入賞手段を示すもので、（ａ）は部分拡大断面図、（ｂ）は正面側からみた斜視図である。
【図４】手段１〜手段３に係る特定入賞手段分解斜視図である。
【図５】手段１または手段２に係る特定入賞手段であってその制限部が閉止状態にあるものを示すもので、（ａ）は拡大横断平面図、（ｂ）は（ａ）の拡大縦断面図である。
【図６】手段１または手段２に係る特定入賞手段であってその制限部が開放状態にあるものを示すもので、（ａ）は拡大横断平面図、（ｂ）は（ａ）の拡大縦断面図である。
【図７】手段３または手段４に係る特定入賞手段であってその制限部が閉止状態にあるものを示すもので、（ａ）は拡大横断平面図、（ｂ）は（ａ）の拡大縦断面図である。
【図８】手段３または手段４に係る特定入賞手段であってその制限部が開放状態にあるものを示すもので、（ａ）は拡大横断平面図、（ｂ）は（ａ）の拡大縦断面図である。
【図９】同パチンコ遊技機を構成してる特定入賞手段の制限部と駆動部との位置関係を示すもので、（ａ）は駆動部側から見た斜視図、（ｂ）は駆動部の反対側から見た斜視図である。
【図１０】同特定入賞手段の制限部と駆動部との位置関係を示すもので、（ａ）は平面図、（ｂ）は正面図、（ｃ）は側面図である。
【図１１】従来のパチンコ遊技機を示す正面図である。
【図１２】図１１に示したパチンコ遊技機を構成している遊技盤の拡大正面図である。
【符号の説明】
【００６１】
１０    特定入賞手段
１０ａ  本体
１１    球受入部
１１ａ  受入口
１１ｂ  送出口
１２    制限部
１２ａ  軸
１３    駆動部
１３ａ  ギア
１４    受け部
１５    案内部
１６    案内溝
１６ａ  案内面
１７    検出センサ
１８    落下位置規制部
１８ａ  案内面
１９    案内部材
２０    遊技盤
２１    遊技領域
２２    始動チャッカー
２３    アウト口
３０    変動表示装置
４０    遊技球
【図１】
2008036186.tif 000003
【図２】
2008036186.tif 000004
【図３】
2008036186.tif 000005
【図４】
2008036186.tif 000006
【図５】
2008036186.tif 000007
【図６】
2008036186.tif 000008
【図７】
2008036186.tif 000009
【図８】
2008036186.tif 000010
【図９】
2008036186.tif 000011
【図１０】
2008036186.tif 000012
【図１１】
2008036186.tif 000013
【図１２】
2008036186.tif 000014